(57)【特許請求の範囲】
【請求項１】
排水トラップと、排水トラップ洗浄装置と、を備えた排水トラップ洗浄システムであって、
前記排水トラップは、
上部に形成された入水口と、側部に形成された出水口とを有し、内部に水を一時的に貯留することが可能なトラップ本体と、
上下に貫通した筒状部と、前記筒状部の上端から外方へ延出する環状部と、を有し、前記トラップ本体の前記入水口に着脱可能に取り付けられ、前記入水口との間に下方に開口した凹状の淀み部を有する封水筒と、を備え、
前記排水トラップ洗浄装置は、  
洗浄水を吐出する吐水部と、
前記吐水部から前記排水トラップに供給される洗浄水の瞬間流量を制御する流量制御部と、を備え、
前記流量制御部は、
前記排水トラップ内に沈殿した沈殿汚れを前記排水トラップ外に排出するために、第１流量の洗浄水を前記排水トラップに供給する沈殿汚れ排出工程と、
前記沈殿汚れ排出工程の後に、前記排水トラップ内に浮遊した浮遊汚れを前記排水トラップ外に排出するために、前記第１流量よりも小さい第２流量の洗浄水を前記排水トラップ内に供給する浮遊汚れ排出工程と、を実行する、
ことを特徴とする排水トラップ洗浄システム。
【請求項２】
前記第１流量は、前記排水トラップ内の水位が前記淀み部に位置するよう設定され、
前記第２流量は、前記排水トラップ内の水位が前記淀み部より低い位置となるよう設定される、
ことを特徴とする請求項１記載の排水トラップ洗浄システム。
【請求項３】
前記浮遊汚れ排出工程では、前記沈殿汚れ排出工程よりも長時間に亘って洗浄水が供給されることを特徴とする請求項１または２に記載の排水トラップ洗浄システム。
【請求項４】
前記流量制御部は、前記沈殿汚れ排出工程と前記浮遊汚れ排出工程との間に、前記排水トラップ内の水位が前記淀み部よりも低い位置になるまで前記排水トラップへの洗浄水の供給量を前記第１流量および前記第２流量よりも小さくする減水工程を実行することを特徴とする請求項１〜３のいずれか１つに記載の排水トラップ洗浄システム。
【請求項５】
前記流量制御部は、前記浮遊汚れ排出工程の後に、前記浮遊汚れ排出工程における前記排水トラップ内の水位よりも高い部位に付着した付着汚れを洗浄するために、前記第２流量よりも大きい第３流量の洗浄水を前記排水トラップに供給する付着汚れ除去工程を実行することを特徴とする請求項１〜４のいずれか１つに記載の排水トラップ洗浄システム。
【請求項６】
前記流量制御部は、前記浮遊汚れ排出工程において前記排水トラップに供給される洗浄水の流量を変更可能であることを特徴とする請求項１〜５のいずれか１つに記載の排水トラップ洗浄システム。
【発明の詳細な説明】
【技術分野】
【０００１】
本発明の態様は、一般的に、排水トラップ洗浄システムに関する。
【背景技術】
【０００２】
流し台、洗面ボウル、浴室やシャワールームの洗い場床などには、排水管からの臭気の逆流を防止する排水トラップが設けられている。排水トラップ内の汚れを排出するためには、排水トラップの封水を新しい水に置換することが有効である。従来、排水トラップ内の汚れを排出する際には、封水の置換率を高めることを目的として、排水トラップに大流量の水を流していた（例えば、特許文献１参照）。
【先行技術文献】
【特許文献】
【０００３】
【特許文献１】特開２００９−２１３８７５号公報
【発明の概要】
【発明が解決しようとする課題】
【０００４】
発明者は、排水トラップに大流量の水を流した場合、排水トラップ内に沈殿している沈殿汚れは排出されるものの、水に浮いている浮遊汚れは排出され難いことを発見した。このため、特に、シャンプーや石鹸などの泡汚れが発生しやすい浴室などの排水トラップにおいては、トラップ内の置換率を十分に高めることができず、未だ改善の余地があることがわかった。
さらに、発明者は、この浮遊汚れが、排水トラップに多量の水を流した際に、排水トラップ上部の隙間等に入り込んで残留するために、排水トラップの外へ排出され難いことを発見した。
本発明は、かかる課題の認識に基づいてなされたものであり、沈殿汚れおよび浮遊汚れを効率的に排出することができる排水トラップ洗浄システムを提供することを目的とする。
【課題を解決するための手段】
【０００５】
第１の発明は、排水トラップと、排水トラップ洗浄装置と、を備えた排水トラップ洗浄システムであって、前記排水トラップは、上部に形成された入水口と、側部に形成された出水口とを有し、内部に水を一時的に貯留することが可能なトラップ本体と、上下に貫通した筒状部と、前記筒状部の上端から外方へ延出する環状部と、を有し、前記トラップ本体の前記入水口に着脱可能に取り付けられ、前記入水口との間に下方に開口した凹状の淀み部を有する封水筒と、を備え、前記排水トラップ洗浄装置は、洗浄水を吐出する吐水部と、前記吐水部から前記排水トラップに供給される洗浄水の瞬間流量を制御する流量制御部と、を備え、前記流量制御部は、前記排水トラップ内に沈殿した沈殿汚れを前記排水トラップ外に排出するために、第１流量の洗浄水を前記排水トラップに供給する沈殿汚れ排出工程と、前記沈殿汚れ排出工程の後に、前記排水トラップ内に浮遊した浮遊汚れを前記排水トラップ外に排出するために、前記第１流量よりも小さい第２流量の洗浄水を前記排水トラップ内に供給する浮遊汚れ排出工程と、を実行する、ことを特徴とする排水トラップ洗浄システムである。
【０００６】
トラップ本体の側部に出水口が形成され、封水筒と入水口との間に下方に開口した凹状の淀み部が形成されている排水トラップにおいては、排水トラップに大流量の洗浄水を供給した際に、浮遊汚れが淀み部に入り込み、浮遊汚れが出水口に向けて排出され難い。しかし、この排水トラップ洗浄システムによれば、このような排水トラップに対しても、排水トラップ内の沈殿汚れと浮遊汚れの両方を効率的に排水トラップの外に排出することが可能となる。
【０００７】
第２の発明は、第１の発明において、前記第１流量は、前記排水トラップ内の水位が前記淀み部に位置するよう設定され、前記第２流量は、前記排水トラップ内の水位が前記淀み部より低い位置となるよう設定されることを特徴とする排水トラップ洗浄システムである。
【０００８】
この排水トラップ洗浄システムによれば、沈殿汚れ排出工程において、沈殿汚れが効率的に排出されるとともに、封水の置換率を高めることができ、浮遊汚れ排出工程において、淀み部に残留していた浮遊汚れが、出水口に向けて流れやすくなる。
【０００９】
第３の発明は、第１または第２の発明において、前記浮遊汚れ排出工程では、前記沈殿汚れ排出工程よりも長時間に亘って洗浄水が供給されることを特徴とする排水トラップ洗浄システムである。
【００１０】
この排水トラップ洗浄システムによれば、排水トラップ内のより多くの浮遊汚れを排水トラップの外に排出することが可能となる。
【００１１】
第４の発明は、第１〜第３のいずれかの発明において、前記流量制御部は、前記沈殿汚れ排出工程と前記浮遊汚れ排出工程との間に、前記排水トラップ内の水位が前記淀み部よりも低い位置になるまで前記排水トラップへの洗浄水の供給量を前記第１流量および前記第２流量よりも小さくする減水工程を実行することを特徴とする排水トラップ洗浄システムである。
【００１２】
この排水トラップ洗浄システムによれば、沈殿汚れ排出工程の後に浮遊汚れ排出工程が連続して行われる場合に比べて、より少ない洗浄水で浮遊汚れを排水トラップの外に排出することが可能である。
【００１３】
第５の発明は、第１〜第４のいずれかの発明において、前記流量制御部は、前記浮遊汚れ排出工程の後に、前記浮遊汚れ排出工程における前記排水トラップ内の水位よりも高い部位に付着した付着汚れを洗浄するために、前記第２流量よりも大きい第３流量の洗浄水を前記排水トラップに供給する付着汚れ除去工程を実行することを特徴とする排水トラップ洗浄システムである。
【００１４】
この排水トラップ洗浄システムによれば、浮遊汚れ排出工程において排水トラップ内の水位よりも高い位置に付着した浮遊汚れを水に浮かし、排水トラップの外に排出することができる。
【００１５】
第６の発明は、第１〜第５のいずれかの発明において、前記流量制御部は、前記浮遊汚れ排出工程において前記排水トラップに供給される洗浄水の流量を変更可能であることを特徴とする排水トラップ洗浄システムである。
【００１６】
この排水トラップ洗浄システムによれば、排水トラップが設けられる環境に応じて、浮遊汚れ排出工程において排水トラップに供給される洗浄水の流量を変更し、排出トラップ内の浮遊汚れを排出することが可能となる。
【発明の効果】
【００１７】
本発明の態様によれば、沈殿汚れおよび浮遊汚れを効率的に排出することができる排水トラップ洗浄システムが提供される。
【図面の簡単な説明】
【００１８】
【図１】実施形態に係る排水トラップ洗浄システムが設けられた浴室を表す斜視図である。
【図２】実施形態に係る排水トラップ洗浄システムが有する排水トラップの斜視図である。
【図３】実施形態に係る排水トラップ洗浄システムが有する排水トラップの分解斜視図である。
【図４】実施形態に係る排水トラップ洗浄システムが有する排水トラップの断面図である。
【図５】実施形態に係る排水トラップ洗浄システムによる排水トラップの洗浄工程を表す工程断面図である。
【図６】実施形態に係る排水トラップ洗浄システムによる排水トラップの洗浄工程を表す工程断面図である。
【図７】実施形態に係る排水トラップ洗浄システムによる排水トラップの洗浄工程を表すタイミングチャートである。
【発明を実施するための形態】
【００１９】
以下、本発明の実施の形態について図面を参照しつつ説明する。なお、各図面中、同様の構成要素には同一の符号を付して詳細な説明は適宜省略する。
【００２０】
まず、図１を用いて、実施形態に係る排水トラップ洗浄システムが設けられる浴室の例について説明する。
図１（ａ）および図１（ｂ）は、実施形態に係る排水トラップ洗浄システムが設けられた浴室５００を表す斜視図である。  
図１（ａ）に表すように、浴室５００には、浴槽５１０、洗い場床５２０、およびカウンタ５３０が設けられている。また、浴室５００の壁面には、不図示のドアが設けられている。
【００２１】
以降では、実施形態の説明のために、「上方」、「下方」、「前方」、「後方」、「右側方」、および「左側方」を用いる。「上方」および「下方」は、浴室５００内の使用者から見た場合を基準としている。また、浴槽５１０から洗い場床５２０に向かう方向を「右側方」とし、これと反対の方向を「左側方」としている。
【００２２】
洗い場床５２０には、排水口５２１が設けられている。排水口５２１は、洗い場床５２０の浴槽５１０側に設けられ、洗い場床５２０の前後方向の略中心に位置している。洗い場床５２０の上面は、排水口５２１へ向かって緩やかに傾斜している。
【００２３】
浴室５００の壁には、鏡、給水栓、シャワーホースなどが適宜設けられている。カウンタ５３０は、浴室５００の壁に取り付けられ、鏡や給水栓などの下方に位置している。また、カウンタ５３０は、洗い場床５２０から上方に離間している。カウンタ５３０の幅（左右方向の寸法）は、洗い場床５２０の幅と略同じである。カウンタ５３０は、図１（ｂ）に表すように、例えば、天板５３１と下カバー５３２とを有する。
【００２４】
排水トラップ洗浄装置６００は、吐水部６１０および制御部６２０を有する。吐水部６１０は、カウンタ５３０の下に設けられ、洗い場床５２０から上方に離間している。吐水部６１０は、例えば、カウンタ５３０の左右方向における中央付近に設置されている。
【００２５】
吐水部６１０は、不図示の給水管等と接続され、排水口５２１に対して洗浄水を供給可能に構成されている。吐水部６１０は、さらに除菌水生成部などを有し、排水口５２１に対して除菌水を供給可能に構成されていてもよい。この場合、除菌水生成部は、例えば、カウンタ５３０の内部（天板５３１と下カバー５３２との間）に設けられる。
【００２６】
除菌水生成部としては、例えば、塩化物イオンを含む水道水を電気分解することで、次亜塩素酸を含む水を生成するものが用いられる。あるいは、除菌水生成部は、金属イオン水（例えば、銀イオン、銅イオンまたは亜鉛イオンなどの金属イオンを含む水）またはオゾンを含む水を生成するものであってもよい。
【００２７】
制御部６２０は、吐水部６１０からの洗浄水の供給のオン・オフや、洗浄水の瞬間流量などを制御する。排水トラップ洗浄装置が除菌水生成部を有する場合、制御部６２０は、さらに除菌水生成部のオン・オフや除菌水の濃度などを制御可能に構成されていてもよい。図１（ａ）に表す例では、制御部６２０が浴室５００の天井の裏に設けられているが、制御部６２０は、カウンタ５３０の内部など他の場所に設けられていてもよい。
【００２８】
浴室５００の外側には、操作部ＲＣが設けられている。制御部６２０は、操作部ＲＣと接続されており、浴室５００の使用者が、操作部ＲＣを用いて排水トラップ洗浄装置６００を操作することができるように構成されている。
【００２９】
次に、図２〜図４を用いて、実施形態に係る排水トラップ洗浄システムが有する排水トラップ１００について説明する。
図２は、実施形態に係る排水トラップ洗浄システムが有する排水トラップ１００の斜視図である。
図３は、実施形態に係る排水トラップ洗浄システムが有する排水トラップ１００の分解斜視図である。
図４は、実施形態に係る排水トラップ洗浄システムが有する排水トラップ１００の断面図である。
なお、図４では、ヘアキャッチャ１３０が省略されている。
【００３０】
図２〜図４に表すように、排水トラップ１００は、トラップ本体１１０、封水筒１２０、ヘアキャッチャ１３０、排水ピット１４０、フランジ１５０、および接続部材１６０を有する。
【００３１】
トラップ本体１１０は、左右方向に延びる筒状の部材である。トラップ本体１１０は、複数の筒状部材が連結され、一体に構成されたものであってもよい。トラップ本体１１０の右側方は上方に向けて屈曲しており、右側端部には出水口１８１が形成されている。トラップ本体１１０の左側端部には、接続部材１６０が接続されている。接続部材１６０は、浴槽５１０の排水口に接続されており、浴槽５１０の水は、接続部材１６０を通ってトラップ本体１１０内に流れる。
【００３２】
トラップ本体１１０の上部には、開口部１１１が設けられ、入水口１８０（図４を参照）が形成されている。開口部１１１が形成された部分では、トラップ本体１１０の壁面が上方に向けて屈曲しており、これにより屈曲部１１２（図４を参照）が形成されている。入水口１８０および接続部材１６０からトラップ本体１１０内部に流入した水は、一時的にトラップ本体１１０内部に貯留され、出水口１８１を通して不図示の配管へ排出される。
【００３３】
また、トラップ本体１１０には、入水口１８０と出水口１８１との間に、突出部１１３が設けられている。突出部１１３が設けられることで、トラップ本体１１０の内部に貯留される水（封水）の深さを深くすることができる。これにより、封水の蒸発や逆圧などにより封水機能が損なわれる可能性を低減することができる。
【００３４】
排水ピット１４０は、内面が中心に向けて下方に傾斜するとともに、下方に向かうほどその幅が狭くなっている。排水ピット１４０は、例えば、洗い場床５２０に固定されている。
【００３５】
排水ピット１４０の下端は、トラップ本体１１０の開口部１１１の上に設けられ、この排水ピット１４０の下端の上に、フランジ１５０が設けられている。開口部１１１の内側およびフランジ１５０の外側には、ネジ溝が形成され、開口部１１１とフランジ１５０とは締結されている。排水ピット１４０の下端は、パッキン１５１を介して、開口部１１１とフランジ１５０との間に挟み込まれ、固定されている。
【００３６】
封水筒１２０は、トラップ本体１１０の入水口１８０に着脱可能に取り付けられている。封水筒１２０は、筒状部１２１および環状部１２２を有する。筒状部１２１は、上下に貫通しており、上方から下方に向けて排水が内部を流れるように構成されている。筒状部１２１の少なくとも一部は、トラップ本体１１０内部に挿入され、トラップ本体１１０内に貯留した水に浸される。環状部１２２は、筒状部１２１の上端に連なって設けられており、筒状部１２１の上端から外方に向けて環状に延出している。
【００３７】
環状部１２２と排水ピット１４０との間には、パッキン１２３が設けられている。封水筒１２０と開口部１１１との間には、間隙Ｇ（図４を参照）が形成されているが、環状部１２２と排水ピット１４０との間がパッキン１２３によって封止されることで、間隙Ｇへの排水の流入を防ぐことができる。
【００３８】
ヘアキャッチャ１３０は、入水口１８０（環状部１２２の内側）に着脱可能に設けられている。ヘアキャッチャ１３０の一部は網目状に形成されており、毛髪などの異物がトラップ本体１１０に入ることを抑制している。
【００３９】
次に、図５〜図７を用いて、実施形態に係る排水トラップ洗浄システムについて説明する。
図５および図６は、実施形態に係る排水トラップ洗浄システムによる排水トラップ１００の洗浄工程を表す工程断面図である。
図７は、実施形態に係る排水トラップ洗浄システムによる排水トラップ１００の洗浄工程を表すタイミングチャートである。
【００４０】
なお、図５および図６では、ヘアキャッチャ１３０が省略されている。
また、図７では、横軸は、時間を表しており、縦軸は、各タイミングにおける吐水部６１０からの吐水の有無および排水トラップ１００内の水Ｗの水位を表している。
【００４１】
図５（ａ）および図７のタイミングｔ０〜ｔ１は、入浴直後の状態を表している。このとき、浴室５００のシャワーや給水栓、吐水部６１０などからは水が出ておらず、排水トラップ１００内の水Ｗの水位は、例えば、突出部１１３の上端と等しい。
【００４２】
図５（ａ）に表すように、入浴後の排水トラップ１００内には、様々な汚れが存在する。これらの汚れは、主に、沈殿汚れＡと、浮遊汚れＢと、に分けることができる。沈殿汚れＡは、水Ｗよりも密度が大きく、トラップ本体１１０の底に沈殿している。浮遊汚れＢは、水Ｗよりも密度が小さく、水Ｗに浮いている。沈殿汚れＡは、例えば、人体の皮脂や角質が固まったもの、泥などである。浮遊汚れＢは、例えば、シャンプーや石鹸の泡、泡に包まれた皮脂や角質などである。
【００４３】
図５（ａ）に表す状態では、沈殿汚れＡは、トラップ本体１１０の底に沈殿している。浮遊汚れＢは、例えば、一部が封水筒１２０の内側に浮遊しており、他の一部が封水筒１２０の外側に浮遊している。
【００４４】
次に、図５（ｂ）および図７のタイミングｔ１〜ｔ２に表すように、吐水部６１０から排水トラップ１００に大流量の洗浄水を供給する、沈殿汚れ排出工程を行う。排水トラップ１００に大流量の洗浄水が供給されると、水Ｗの水位が突出部１１３の上端を超え、水Ｗが出水口１８１から排出される。
【００４５】
このとき、封水筒１２０の内側に浮いていた浮遊汚れＢが、封水筒１２０の外側に押し流されるとともに、浮遊汚れＢの一部が、水の流れに沿って出水口１８１から排出される。また、入水口１８０から出水口１８１に向かう大きな水の流れによって、沈殿汚れＡが一時的に浮き上がり、出水口１８１から排出される。
【００４６】
一方で、大流量の洗浄水が排水トラップ１００に供給されると、水Ｗの水位が、一時的に開口部１１１の下端（屈曲部１１２）よりも高くなる。このとき、トラップ本体１１０と封水筒１２０との間の間隙Ｇが形成された部分は、下方に開口し、凹状を呈しているため、水Ｗがこの凹部に入り込み、水位が凹部内に位置する。そして、凹部に入り込んだ浮遊汚れＢは、屈曲部１１２によって出水口１８１に向けて流れることができず、この結果、図５（ｂ）に表すように、間隙Ｇの位置に浮遊汚れＢが残留する淀み部が形成される。
【００４７】
次に、図５（ｃ）および図７のタイミングｔ２〜ｔ３に表すように、排水トラップ１００への洗浄水の供給量を減少させる、減水工程を行う。この減水工程における排水トラップ１００への洗浄水の供給量は、沈殿汚れ排出工程および後述する浮遊汚れ排出工程における排水トラップ１００への洗浄水の供給量よりも小さく設定される。
【００４８】
排水トラップ１００への洗浄水の供給量を減少させることで、水Ｗの水位が淀み部よりも低くなり、例えば突出部１１３の上端と同じ位置まで下がる。このとき、水Ｗの水位の低下に伴い、淀み部に残留していた浮遊汚れＢの位置も下がる。
なお、この減水工程においては、排水トラップ１００への洗浄水の供給を停止させ、洗浄水の供給量をゼロとしてもよい。
【００４９】
次に、図６（ａ）および図７のタイミングｔ３〜ｔ４に表すように、排水トラップ１００に小流量の洗浄水を供給する、浮遊汚れ排出工程を行う。排水トラップ１００に小流量の洗浄水が供給されると、水Ｗの水位が突出部１１３の上端よりも高くなり、水Ｗが緩やかに出水口１８１に向けて流れる。このとき、水Ｗの水位は、淀み部よりも低い位置にあるため、浮遊汚れＢが、水の流れに沿って出水口１８１から排出されていく。
【００５０】
なお、減水工程において水Ｗの水位が下がった際に、浮遊汚れＢの一部が、封水筒１２０の外壁や開口部１１１の内壁などの、水Ｗの水位よりも高い位置に付着してしまう場合がある。このような浮遊汚れＢは、小流量の洗浄水の供給では排出することが難しい。
【００５１】
壁面に付着した浮遊汚れＢに対しては、図６（ｃ）および図７のタイミングｔ５〜ｔ６に表すように、排水トラップ１００に大流量の洗浄水を供給する、付着汚れ除去工程を行うことが効果的である。排水トラップ１００に大流量の洗浄水を供給することで、水Ｗの水位が淀み部の位置にまで達し、封水筒１２０の外壁や開口部１１１の内壁などに付着した浮遊汚れＢを水Ｗに浮かして、壁面から除去することができる。このとき、浮遊汚れＢの一部が再び淀み部に残留しうるが、浮遊汚れＢを壁面から除去して水Ｗに浮かすことで、その少なくとも一部を排水トラップ１００から排出することができる。
【００５２】
なお、図６（ｂ）および図７のタイミングｔ４〜ｔ５に表すように、浮遊汚れ排出工程と付着汚れ除去工程との間で、排水トラップ１００への洗浄水の供給量を減少させてもよい。
【００５３】
上述した各工程における排水トラップ１００への洗浄水の供給量の制御は、制御部６２０によって行われる。
制御部６２０は、例えば、吐水部６１０から吐出される水の瞬間流量を制御することで、排水トラップ１００へ供給される洗浄水の量を制御する。
または、制御部６２０は、各工程において吐水部６１０から吐出される水の瞬間流量を一定とし、吐水部６１０によって吐出される水の方向等を制御することで、各工程における排水トラップ１００への洗浄水の供給量を制御してもよい。一例として、制御部６２０は、沈殿汚れ排出工程において、洗い場床５２０の排水口５２１と離れた位置から排水口５２１に近い位置に向けて水の吐出方向を変化させることで、洗い場床５２０の各部に吐出した水が略同じタイミングで排水トラップ１００に流れ、排水トラップ１００に大流量の洗浄水を供給することができる。
【００５４】
また、排水トラップ１００に供給される洗浄水は、水道水でも良いし、除菌水であっても良い。あるいは、水道水と除菌水の混合水であってもよい。除菌水を用いることで、排水トラップ１００内における菌の繁殖を抑制することができる。
洗浄水の温度は任意であるが、お湯を用いることで、封水筒１２０やトラップ本体１１０の内壁面に付着した皮脂などが水に浮きやすくなり、排水トラップ１００内の汚れを排出しやすくなる。
【００５５】
以上で説明したように、本実施形態に係る排水トラップ洗浄システムは、排水トラップ１００および排水トラップ洗浄装置６００を備える。そして、制御部６２０は、大流量の洗浄水を供給する沈殿汚れ排出工程を実行した後に、小流量の洗浄水を供給する浮遊汚れ排出工程を実行する。
沈殿汚れ排出工程では、封水筒１２０の内側の浮遊汚れが封水筒１２０の外側に流されるとともに、排水トラップ１００内に沈殿した沈殿汚れを排水トラップ１００の外に排出される。そして、続く浮遊汚れ排出工程では、排水トラップ１００内に浮遊する浮遊汚れが排水トラップ１００の外に排出される。
このため、本実施形態によれば、排水トラップ１００内の沈殿汚れと浮遊汚れの両方を効率的に排水トラップ１００の外に排出することが可能となる。
【００５６】
また、本実施形態に係る排水トラップ洗浄システムは、特に、トラップ本体１１０の側部に出水口１８１が形成され、入水口１８０（屈曲部１１２）と封水筒１２０との間に、下方に開口した凹状の淀み部が形成されている排水トラップ１００に対して有効である。
このような排水トラップ１００では、排水トラップ１００に大流量の洗浄水を供給した際に、図５（ｂ）に表したように浮遊汚れが淀み部に入り込み、淀み部と出水口１８１との間のトラップ本体１１０の壁面（屈曲部１１２など）によって、浮遊汚れが出水口１８１に向けて流れることができなくなる。
しかし、本実施形態に係る排水トラップ洗浄システムによれば、沈殿汚れ排出工程の後に小流量の洗浄水で浮遊汚れ排出工程を行うため、淀み部に残留していた浮遊汚れを出水口１８１に向けて流し、排水トラップ１００の外に排出することが可能である。
【００５７】
また、沈殿汚れ排出工程では、排水トラップ１００内の水Ｗの水位が淀み部に位置するように、排水トラップ１００に洗浄水を供給することが望ましい。水Ｗの水位が淀み部に位置するように洗浄水を供給することで、排水トラップ１００に洗浄水が十分に供給され、沈殿汚れが効率的に排出されるとともに、封水の置換率を高めることができる。
浮遊汚れ排出工程では、排水トラップ１００内の水Ｗの水位が淀み部よりも低い位置となるように、排水トラップ１００に洗浄水を供給することが望ましい。水Ｗの水位が淀み部よりも低い位置に下がることで、淀み部に残留していた浮遊汚れが、屈曲部１１２に引っ掛からずに出水口１８１に向けて流れやすくなるためである。
【００５８】
なお、沈殿汚れ排出工程の後に連続して浮遊汚れ排出工程を実行し、浮遊汚れ排出工程を実行している間に、水Ｗの水位が下がって淀み部よりも低い位置になってもよい。この場合でも、水Ｗの水位が淀み部に位置している間は浮遊汚れが排出され難いが、水位が淀み部よりも低い位置まで下がった後は浮遊汚れが出水口１８１より排出される。
ただし、より少ない洗浄水で浮遊汚れを排出するためには、水Ｗの水位が淀み部よりも低い位置になってから浮遊汚れ排出工程を実行することが望ましい。このため、沈殿汚れ排出工程と浮遊汚れ排出工程との間に、これらの工程よりも排水トラップ１００への洗浄水の供給量を小さくする減水工程を行い、水Ｗの水位を淀み部よりも低い位置に下げることが望ましい。
減水工程の時間は、例えば、沈殿汚れ排出工程の時間よりも短い。減水工程は、水Ｗの水位の低下を目的として行われ、長時間を要さないためである。
【００５９】
また、浮遊汚れ排出工程では、沈殿汚れ排出工程に比べて洗浄水の供給量が少ない。このため、浮遊汚れを排水トラップ１００の外に十分に排出するためには、浮遊汚れ排出工程において、沈殿汚れ排出工程よりも長時間に亘って排水トラップ１００に洗浄水が供給されることが望ましい。こうすることで、排水トラップ１００内のより多くの浮遊汚れを、排水トラップ１００の外に排出することが可能となる。
付着汚れ除去工程では、沈殿汚れ排出工程と同じかそれよりも短い時間に亘って、排水トラップ１００に洗浄水が供給される。これは、付着汚れ除去工程が、水Ｗの水位を上げて、壁面に付着した浮遊汚れを壁面から除去して浮かせることを目的として行われるためである。
【００６０】
排水トラップ１００が設けられる環境によっては、浮遊汚れ排出工程において、水Ｗの水位が高くなりすぎ、淀み部に位置してしまう場合もある。このため、制御部６２０は、浮遊汚れ排出工程において排水トラップ１００へ供給される洗浄水の流量を変更可能に構成されていることが望ましい。こうすることで、浮排水トラップ１００が設けられる環境に拘わらず浮遊汚れを効率的に排出することが可能となる。
制御部６２０は、さらに、沈殿汚れ排出工程および付着汚れ除去工程において排水トラップ１００に供給される洗浄水の流量を変更可能に構成されていても良い。
【００６１】
また、図１に表す例では、吐水部６１０がカウンタ５３０の下に設けられていたが、吐水部６１０の位置は適宜変更することが可能である。吐水部６１０は、例えば、洗い場床５２０を介さずに、直接、入水口１８０に向けて洗浄水を供給できるように、排水トラップ１００に接続されていてもよい。
【００６２】
なお、先に浮遊汚れ排出工程を実行して浮遊汚れを排出した後に、沈殿汚れ排出工程を行って実行して沈殿汚れを排出することも可能である。ただし、この場合、封水筒１２０内側の浮遊汚れが、先の浮遊汚れ排出工程では外側に流れず、後の沈殿汚れ排出工程で外側に流れる。このため、排水トラップ１００内の浮遊汚れを効率的に排出できない。
すなわち、図５〜図７で表したように、沈殿汚れ排出工程を行った後に浮遊汚れ排出工程を行うことで、封水筒１２０の内側にある浮遊汚れを効率的に排出することが可能となる。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水トラップ１００、浴室５００、排水トラップ洗浄装置６００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１００ 排水トラップ、  １１０ トラップ本体、  １１１ 開口部、  １１２ 屈曲部、  １１３ 突出部、  １２０ 封水筒、  １２１ 筒状部、  １２２ 環状部、  １２３ パッキン、  １３０ ヘアキャッチャ、  １４０ 排水ピット、  １５０ フランジ、  １５１ パッキン、  １６０ 接続部材、  １８０ 入水口、  １８１ 出水口、  ５００ 浴室、  ５１０ 浴槽、  ５２０ 洗い場床、  ５２１ 排水口、  ５３０ カウンタ、  ５３１ 天板、  ５３２ 下カバー、  ６００ 排水トラップ洗浄装置、  ６１０ 吐水部、  ６２０ 制御部、  Ａ 沈殿汚れ、  Ｂ 浮遊汚れ、  Ｇ 間隙、  ＲＣ 操作部、  Ｗ 水
【図１】
0006684468.tif 000002
【図２】
0006684468.tif 000003
【図３】
0006684468.tif 000004
【図４】
0006684468.tif 000005
【図５】
0006684468.tif 000006
【図６】
0006684468.tif 000007
【図７】
0006684468.tif 000008